(57)【要約】【課題】  一度取り付け位置に固定しても容易に取り外すことができるとともに、周囲が暗くとも容易に存在を確認できる中継コネクタを提供する。【解決手段】  本体部底面から下向きに突出し、本体部底面の中心点を通る垂線とは反対側に折れ曲がったクランク部を経た後に本体部底面の中心点を通る垂線上の点である頂点に達し、本体部底面の中心点を通りクランク部の屈折方向と垂直な面を対称面とした形状で該頂点から上方に延びる係止頭５と、係止頭５の根本近傍からクランク部の屈折方向に向かって凸設されたストッパー部４と、係止頭５の先端近傍からクランク部の屈折方向に向かって凸設された係止頭ロック解除部６とを備え、本体部、係止頭５、ストッパー部４及び係止頭ロック解除部６の表面が蛍光性を有する。【選択図】  図１
2005085528.tif 000002
【特許請求の範囲】
【請求項１】
略直方体状の本体部に、ハーネスの雄コネクタが挿着される嵌合部を少なくとも二つ備え、該嵌合部に前記雄コネクタが挿着された前記ハーネス同士を電気的に接続する中継コネクタであって、
前記本体部底面から下向きに突出し、前記本体部底面の中心点を通る垂線とは反対側に折れ曲がったクランク部を経た後に前記本体部底面の中心点を通る垂線上の点である頂点に達し、前記本体部底面の中心点を通り前記クランク部の屈折方向と垂直な面を対称面とした形状で該頂点から上方に延びる係止頭と、該係止頭の根本近傍から前記クランク部の屈折方向に向かって凸設されたストッパーと、前記係止頭の先端近傍から前記クランク部の屈折方向に向かって凸設されたロック解除部とを備え、前記本体部、前記係止頭、前記ストッパー及び前記ロック解除部の表面が蛍光性を有することを特徴とする中継コネクタ。
【請求項２】
前記嵌合部は、前記本体部の一対の両側面に正対して配置され、該正対する一対の嵌合部に前記雄コネクタが挿着された前記ハーネス同士がそれぞれ電気的に接続されることを特徴とする請求項１記載の中継コネクタ。
【請求項３】
前記本体部の両側面に二対以上の嵌合部が配置されたことを特徴とする請求項２記載の中継コネクタ。
【請求項４】
前記嵌合部の少なくとも一つは、前記雄コネクタが挿着されたハーネスを、他の嵌合部に前記雄コネクタが挿着された前記ハーネスの少なくとも二つと電気的に接続することを特徴とする請求項１記載の中継コネクタ。
【発明の詳細な説明】
【技術分野】
【０００１】
本発明は、ハネース間の信号の受け渡しを行う中継コネクタに関し、特に、暗い所でも容易に存在を確認できるとともに設置箇所に一度取り付けても、容易に取り外すことのできる中継コネクタに関する。
【背景技術】
【０００２】
電子機器においては、装置内の配線は、複数本の被覆電線を集束したハーネスを用いて引き回され、特許文献１に開示される「フラットハーネス固定用クリップ」のようなクリップを用いて固定されることが多い。
【０００３】
このようなハーネスは、各部品からそれぞれ引き出されるため、装置内で各部品のハーネス同士を接続する必要がある。また、装置内での配線の引き回しや部品の実装上の都合上によって、装置の組立時にハーネス同士を接続しなければならないこともある。
【０００４】
従来、ハーネス同士を連結し、信号の受け渡しを行うために「中継コネクタ」という部材が用いられている。
【０００５】
中継コネクタを固定して使用する場合、一般的に使用されている方式は、筐体などの板金に中継コネクタを挿入できる程度の大きさの穴を空け、この穴の途中まで中継コネクタを挿入すると、中継コネクタに形成されている掛止爪部が板金にロックされて固定される方式であるパネルマウント方式である。
【０００６】
しかし、この方式では、中継コネクタを固定して使用できる場所が限定されてしまう。
【特許文献１】特開２００２−２７６４２号公報
【発明の開示】
【発明が解決しようとする課題】
【０００７】
また、これとは別に、近年、環境問題に鑑みて、リサイクル可能な製品を設計することが重要視されている。
【０００８】
従来の中継コネクタは、一度取り付けてしまうと容易に外すことができないため、原材料ごとに分別することが困難であり、製品を原材料リサイクルに対応させることが難しくなる。
【０００９】
さらに、中継コネクタが装置の奥側のように薄暗い所に取り付けられている場合などは、中継コネクタが取り付けられていること自体が認識しにくいため、原材料ごとに分別する際に中継コネクタの存在を見落としてしまう可能性があり、原材料リサイクルを行う上での障害となる。
【００１０】
本発明は係る問題に鑑みてなされたものであり、一度取り付け位置に固定しても容易に取り外すことができるとともに、周囲が暗くとも容易に存在を確認できる中継コネクタを提供することを目的とする。
【課題を解決するための手段】
【００１１】
本発明は、上記目的を達成するために、略直方体状の本体部に、ハーネスの雄コネクタが挿着される嵌合部を少なくとも二つ備え、該嵌合部に雄コネクタが挿着されたハーネス同士を電気的に接続する中継コネクタであって、本体部底面から下向きに突出し、本体部底面の中心点を通る垂線とは反対側に折れ曲がったクランク部を経た後に本体部底面の中心点を通る垂線上の点である頂点に達し、本体部底面の中心点を通りクランク部の屈折方向と垂直な面を対称面とした形状で該頂点から上方に延びる係止頭と、該係止頭の根本近傍からクランク部の屈折方向に向かって凸設されたストッパーと、係止頭の先端近傍からクランク部の屈折方向に向かって凸設されたロック解除部とを備え、本体部、係止頭、ストッパー及びロック解除部の表面が蛍光性を有することを特徴とする中継コネクタを提供するものである。このような構成の中継コネクタにすれば、係止頭に対応する形状ではない穴（一般的な丸穴）を用いて係止頭を固定できるため、どこにでも固定可能で容易に取り外すことができ、かつ周りが暗くとも視認しやすい。
【００１２】
以上の構成においては、嵌合部は、本体部の一対の両側面に正対して配置され、該正対する一対の嵌合部に雄コネクタが挿着されたハーネス同士がそれぞれ電気的に接続されることが好ましく、これに加えて、本体部の両側面に二対以上の嵌合部が配置されることがより好ましい。このような構成の中継コネクタとすれば、同じ箇所に複数のハーネスを接続・固定できる。
【００１３】
又は、上記の構成においては、嵌合部の少なくとも一つは、雄コネクタが挿着されたハーネスを、他の嵌合部に雄コネクタが挿着されたハーネスの少なくとも二つと電気的に接続することが好ましい。このような構成の中継コネクタとすれば、一のハネースからの同一の信号を複数のハーネスに分配するデイジー機能を付与することができる。
【発明の効果】
【００１４】
本発明によれば、一度取り付け位置に固定しても容易に取り外すことができるとともに、周囲が暗くとも容易に存在を確認できる中継コネクタを提供できる。
【発明を実施するための最良の形態】
【００１５】
〔第１の実施形態〕
図１に、本発明を好適に実施した第１の実施形態に係る中継コネクタの構成を示す。中継コネクタ１は、略直方体状の本体の一側面に凹設された第１の嵌合部２、第１の嵌合部２と対向する面に凹設された第２の嵌合部３、本体底面から下側に突出し、本体底面の中心点を通る垂線とは反対側に折れ曲がったクランク部を経た後に本体底面の中心点を通る垂線上の点である頂点に達し、本体底面の中心点を通りクランク部の屈折方向と垂直な面を対称面とした構造で上方に延びる係止頭５と、係止頭５の根本近傍からクランク部の屈折方向に向かって凸設されたストッパー部４、及び係止頭５の先端近傍からクランク部の屈折方向に向かって凸設された係止頭ロック解除部６を有する。
【００１６】
第１の嵌合部２は、第１の雄コネクタ８が挿着される部分である。第２の嵌合部３は、第２の雄コネクタ９が挿着される部分である。ストッパー部４は、係止頭５に対応する開口を備えた固定部７に挿入された中継コネクタ１を固定するためのストッパーである。中継コネクタ１を固定するために固定部７に挿入される部分である。係止頭ロック解除部６は、固定部７に取り付けられた中継コネクタ１を取り外すための部材である。
【００１７】
中継コネクタ１の本体部、係止頭５、ストッパー部４及び係止頭ロック解除部６の表面が蛍光性を有する。この蛍光性は、これらの部材の材料となる樹脂に蛍光物質を含有させることで付与しても良いし、これらの部材の表面に蛍光膜（蛍光塗料の塗膜など）を形成するようにしても良い。
【００１８】
中継コネクタ１の係止頭５を、これに対応する形状の開口を備えた固定部７に挿入すると、係止頭５のクランク部とストッパー部４との間に固定部７が保持されて中継コネクタ１が固定される。
【００１９】
第１の雄コネクタ８は第１のハーネス１０の一部であり、同様に、第２の雄コネクタ９は、第２のハーネス１１の一部である。
【００２０】
第１の嵌合部２と第２の嵌合部３とは、本体の内部で導通しており、これらに第１の雄コネクタ８及び第２の雄コネクタ９を挿着すると、第１のハーネス１０と第２のハーネス１１とは電気的に接続される。
【００２１】
図２に、中継コネクタ１を取り外す際の動きを示す。なお、ここでは、固定部７に固定した中継コネクタ１から、係止頭５、ストッパー部４及び係止頭ロック解除部６を抜き出して示す。
【００２２】
（ａ）は、係止頭５及びストッパー部４によって中継コネクタ１の本体（図２では不図示）を固定部７に固定している状態を示している。
【００２３】
（ａ）に示す状態から、係止頭ロック解除部６に力を加えることにより係止頭５を固定部７から解放した状態を（ｂ）に示す。（ｂ）に示す状態において中継コネクタ１の本体を引き上げることにより、中継コネクタ１を固定部７から容易に取り外すことができる。
【００２４】
なお、固定部７の開口部の形状は、係止頭５が挿入可能で、係止頭５のクランク部とストッパー部４との間に保持される形状であれば、任意の形状とすることが可能である。例えば、従来クランプを固定するために使用していた丸穴を固定部７として用いることも可能である。
【００２５】
本実施形態に係る中継コネクタは、周りの環境が暗くとも固定部に特殊な形状を用いずともどこにでも中継コネクタを固定すること、及び容易に取り外すことが可能である。
【００２６】
〔第２の実施形態〕
本発明を好適に実施した第２の実施形態に係る中継コネクタの構成を図３に示す。本実施形態に係る中継コネクタ２１は、略直方体状の本体の一側面の上側に凹設された第１の嵌合部２２、第１の嵌合部２２と同一面の下側に凹設された第３の嵌合部２３、第１の嵌合部２２と対向する面の上側に凹設された第２の嵌合部２４、第２の嵌合部２３と同一面の下側に凹設された第４の嵌合部２５、係止頭２７、ストッパー部２６、及び係止頭２７の先端近傍からクランク部の屈折方向に向かって凸設された係止頭ロック解除部２８を有する。
【００２７】
第１の嵌合部２２は、第１の雄コネクタ３０が挿着される部分である。第２の嵌合部２４は、第２の雄コネクタ３４が挿着される部分である。第３の嵌合部２３は、第３の雄コネクタ３３が挿着される部分である。第４の嵌合部２５は、第４の雄コネクタ３５が挿着される部分である。ストッパー部２６は、係止頭５に対応する開口を備えた固定部２９に挿入された中継コネクタ２１を固定するためのストッパーである。中継コネクタ２１を固定するために固定部２９に挿入される部分である。係止頭ロック解除部２８は、固定部２９に取り付けられた中継コネクタ２１を取り外すための部材である。
【００２８】
中継コネクタ２１の本体部、係止頭２７、ストッパー部２６及び係止頭ロック解除部２８の表面が蛍光性を有する。この蛍光性は、これらの部材の材料となる樹脂に蛍光物質を含有させることで付与しても良いし、これらの部材の表面に蛍光膜（蛍光塗料の塗膜など）を形成するようにしても良い。
【００２９】
図４に、中継コネクタ２１の内部の結線状態を示す。コネクタピン３８により第１の嵌合部２２と第２の嵌合部２４とが導通しており、第３の嵌合部２３と第４の嵌合部２とが導通している。これにより、第１〜第４の雄コネクタ３０、３１、３４、３５を第１〜第４の嵌合部２２〜２５にそれぞれ挿着すると、第１のハーネス３２と第２のハーネス３６とが導通し、第３のハーネス３３と第４のハーネス３７とが導通する。
【００３０】
本実施形態に係る中継コネクタは、複数のハーネスを単独で接続することが可能である。
【００３１】
〔第３の実施形態〕
本発明を好適に実施した第３の実施形態にかかる中継コネクタの構成を図５に示す。本実施形態に係る中継コネクタ４１は、略直方体状の本体の一側面の上側に凹設された第１の嵌合部４２、第１の嵌合部４２と対向する面に凹設された第２の嵌合部４４、第１の嵌合部４２と同一面の下側に凹設された第３の嵌合部４３、係止頭２６、ストッパー部４５、及び係止頭４６の先端近傍からクランク部の屈折方向に向かって凸設された係止頭ロック解除部４７を有する。
【００３２】
第１の嵌合部４２は、第１の雄コネクタ４９が挿着される部分である。第２の嵌合部４４は、第２の雄コネクタ５３が挿着される部分である。第３の嵌合部４３は、第３の雄コネクタ５０が挿着される部分である。ストッパー部４５は、係止頭４６に対応する開口を備えた固定部４８に挿入された中継コネクタ４１を固定するためのストッパーである。中継コネクタ４１を固定するために固定部４８に挿入される部分である。係止頭ロック解除部４７は、固定部４８に取り付けられた中継コネクタ４１を取り外すための部材である。
【００３３】
中継コネクタ４１の本体部、係止頭４６、ストッパー部４５及び係止頭ロック解除部４７の表面が蛍光性を有する。この蛍光性は、これらの部材の材料となる樹脂に蛍光物質を含有させることで付与しても良いし、これらの部材の表面に蛍光膜（蛍光塗料の塗膜など）を形成するようにしても良い。
【００３４】
図６に、中継コネクタ４１の内部の結線状態を示す。コネクタピン５５により第１の嵌合部４２及び第３の嵌合部４３と第２の嵌合部４４とが導通している。これにより、第１〜第３の雄コネクタ４９、５３、５０を第１〜第３の嵌合部４２〜４４にそれぞれ挿着すると、第１のハーネス５１、第２のハーネス５４及び第３のハーネス５４が導通する。
【００３５】
本実施形態にかかる中継コネクタは、第１の実施形態と同様の機能に加え、デイジー接続（分配機能）を実現することが可能である。
【００３６】
なお、上記実施形態は本発明の好適な実施の一例であり、本発明はこれらに限定されることはない。
例えば、嵌合部は必ずしも対向する一対の側面に設ける必要はなく、隣接する側面に設けるようにしてもよい。
このように、本発明は様々な変形が可能である。
【図面の簡単な説明】
【００３７】
【図１】本発明を好適に実施した第１の実施形態に係る中継コネクタの構成を示す図である。
【図２】中継コネクタを取り外す際の動きを示す図であり、（ａ）は係止頭によって中継コネクタが固定部に固定された状態を示し、（ｂ）は、係止頭による固定を解除した状態を示す。
【図３】本発明を好適に実施した第２の実施形態に係る中継コネクタの構成を示す図である。
【図４】第２の実施形態に係る中継コネクタ内部の結線状態を示すずである。
【図５】本発明を好適に実施した第３の実施形態に係る中継コネクタの構成を示す図である。
【図６】第３の実施形態に係る中継コネクタ内部の結線状態を示す図である。
【符号の説明】
【００３８】
１、２１、４１    中継コネクタ
２、２２、４２    第１の嵌合部
３、２４、４４    第２の嵌合部
４、２６、４５    ストッパー部
５、２７、４６    係止頭
６、２８、４７    係止頭ロック解除部
７、２９、４８    固定部
８、３０、４９    第１の雄コネクタ
９、３２、５１    第１のハーネス
１０、３４、５３    第２の雄コネクタ
１１、３６、５４    第２のハーネス
３１、５０    第３の雄コネクタ
３３、５２    第３のハーネス
３５    第４の雄コネクタ
３７    第４のハーネス
３８、５５    コネクタピン
【図１】
2005085528.tif 000003
【図２】
2005085528.tif 000004
【図３】
2005085528.tif 000005
【図４】
2005085528.tif 000006
【図５】
2005085528.tif 000007
【図６】
2005085528.tif 000008